(57)【要約】【課題】本発明は模擬運転おもちゃを開示した。【解決手段】前後対称的に設置された止め板を含み、両側の前記止め板の間には模型車がスライドできるように設置され、前記模型車の中には制御装置が設置され、両側の前記止め板と前記模型車との間には車両装置が連結され、前後両側の前記止め板の間には障害装置が連結され、前記車両装置は前記模型車の中に設置された転向チャンバを含み、前記転向チャンバの中には大傘歯車が回転できるように設置され、本発明は構成が簡単で、操作が便利で、障害物の移動速度を変えることにより運転の速度を反映することができ、また車の加速と車線変更とブレーキを模擬することもでき、その他、両側には止め板が設置されたことにより、操作は適当でない時に人が投げ出されることを回避できる。【選択図】図１
2020177201.tif 000002
【特許請求の範囲】
【請求項１】
前後対称的に設置された止め板を含み、両側の前記止め板の間には模型車がスライドできるように設置され、前記模型車の中には制御装置が設置され、両側の前記止め板と前記模型車との間には車両装置が連結され、前後両側の前記止め板の間には障害装置が連結され、前記車両装置は前記模型車の中に設置された転向チャンバを含み、前記転向チャンバの中には大傘歯車が回転できるように設置され、前記大傘歯車の上端には連結軸が固定的に連結され、前記連結軸の上端が外部に伸びており、且つ前記連結軸の上端にはハンドルが固定的に連結され、前記大傘歯車の後端には小傘歯車が噛み合って設置され、前記小傘歯車の中には長軸が固定的に連結され、両側の前記止め板の中には開口が相対であるスライドブロックチャンバが設置され、前記スライドブロックチャンバの中にはスライドブロックがスライドできるように設置され、前記スライドブロックの中には変速チャンバが設置され、前記長軸の前後両端がそれぞれ両側の前記変速チャンバの中に伸びており、且つ前記長軸の前後両端には大平歯車が固定的に連結され、前記大平歯車の下端には小平歯車が噛み合って設置され、前記小平歯車のうち対称中心に接近している一端にはメインプーリが固定的に連結され、前記メインプーリの左側には右プーリが回転できるように設置され、前記右プーリの左側には左プーリが回転できるように設置され、前記左プーリ、前記右プーリ及び前記メインプーリの間には同期ベルトが連結され、前後両側の前記右プーリの間には右ねじロッドが固定的に連結され、前記右ねじロッドが前記模型車にねじ山によって連結され、前後両側の前記左プーリの間には左ねじロッドが固定的に連結され、前記左ねじロッドが前記模型車にねじ山によって連結され、前記左ねじロッドと前記右ねじロッドにより前記模型車が傾斜することを回避でき、後側の前記スライドブロックの中にはねじ穴が左右に貫通して設置され、前記ねじ穴の中には前進ねじロッドがねじ山によって連結され、後側の前記スライドブロックチャンバの右側の内壁の中には前進モータが固定的に設置され、前記前進ねじロッドが前記前進モータに動力が伝達できるように連結されており、
前記車両装置は前記模型車に加速と車線変更との操作を完成させることができることを特徴とする模擬運転おもちゃ。
【請求項２】
前記障害装置は前後両側の前記止め板の間に回転できるように連結された左回転軸を含み、後側の前記止め板の中には変速モータが固定的に設置され、前記左回転軸が前記変速モータに動力が伝達できるように連結され、両側の前記止め板の間には左回転輪が前後対称的に、且つ回転できるように設置され、前記左回転輪が前記左回転軸に固定的に連結され、両側の前記止め板の間には右回転軸が回転できるように連結され、前記右回転軸が前記左回転軸の右側に位置しており、前記右回転軸には二つの右回転輪が前後対称的に固定的に連結され、両側の前記左回転輪と両側の前記右回転輪との間にはそれぞれ伝動ベルトが連結され、前記伝動ベルトの外側端面には一列の障害物がスライドする方向の路線に沿って排列されるように、固定的に連結されており、
前記障害装置は前記障害物の移動速度を変えられ、前記障害物と前記模型車との間の相対運動を模擬することにより前記模型車の移動速度を反映することを特徴とする請求項１に記載の模擬運転おもちゃ。
【請求項３】
前記制御装置は前記模型車の中に設置された上方に開口した収容チャンバを含み、前記収容チャンバの下側内壁の中には前ペダルチャンバが連通するように設置され、前記前ペダルチャンバの中には前ペダルがスライドできるように設置され、前記前ペダルの下端には上電極が固定的に連結され、前記前ペダルチャンバの下側内壁の中には下電極が固定的に設置され、前記前ペダルチャンバの左右両側の内壁の中には復帰溝が対称的に、且連通するように設置され、前記復帰溝の中には復帰ブロックがスライドできるように設置され、前記復帰ブロックが前記前ペダルに固定的に連結され、前記復帰ブロックの下端と前記復帰溝の下側内壁との間には復帰ばねが固定的に連結され、前記収容チャンバの下側内壁の中には後ペダルチャンバが連通するように設置され、前記後ペダルチャンバが前記前ペダルチャンバの後側に位置しており、前記後ペダルチャンバの中には後ペダルがスライドできるように設置され、前記後ペダルの下端には上導電ブロックが固定的に連結され、前記後ペダルチャンバの下側内壁の中には下導電ブロックが固定的に設置されており、
前記制御装置は前記模型車の前進及び停止を制御することができることを特徴とする請求項２に記載の模擬運転おもちゃ。
【請求項４】
前記上電極と前記下電極とが前記変速モータと電気的に接続されていると同時に前記前進モータに電気的に接続され、前記下導電ブロックと前記上導電ブロックとが前記変速モータに電気的に接続されており、
前記変速モータが始動されて前記上電極と前記下電極とに導電し、前記上導電ブロックが前記下導電ブロックと接触した時に前記変速モータを停止することを特徴とする請求項３に記載の模擬運転おもちゃ。
【発明の詳細な説明】
【技術分野】
【０００１】
本発明はおもちゃ分野に関わり、具体的には模擬運転おもちゃである。
【背景技術】
【０００２】
運転免許証を取るには模擬運転テストに参加する必要があり、しかし一般的には模擬運転がディスプレイ画面により行われるのであり、それは実際の運転環境を正確に反映することができないため、実際の操作を通して運転の路面状況を模擬できる模擬運転おもちゃを設計する必要があり、本装置は障害物の移動速度を変えることにより運転の速度を反映することができ、また車の加速と車線変更とブレーキを模擬することもでき、その他、両側には止め板が設置されたことにより、操作は適当でない時に人が投げ出されることを回避できる。
【先行技術文献】
【特許文献】
【０００３】
【特許文献１】中国特許出願公開第１０５７９７３８６号明細書
【発明の概要】
【発明が解決しようとする課題】
【０００４】
本発明の解決しようとする技術問題は模擬運転おもちゃを提供し、上記既存の技術にある問題を解決するのである。
【課題を解決するための手段】
【０００５】
本発明は以下の技術プランにより実現される：本発明の模擬運転おもちゃは、前後対称的に設置された止め板を含み、両側の前記止め板の間には模型車がスライドできるように設置され、前記模型車の中には制御装置が設置され、両側の前記止め板と前記模型車との間には車両装置が連結され、前後両側の前記止め板の間には障害装置が連結され、前記車両装置は前記模型車の中に設置された転向チャンバを含み、前記転向チャンバの中には大傘歯車が回転できるように設置され、前記大傘歯車の上端には連結軸が固定的に連結され、前記連結軸の上端が外部に伸びており、且つ前記連結軸の上端にはハンドルが固定的に連結され、前記大傘歯車の後端には小傘歯車が噛み合って設置され、前記小傘歯車の中には長軸が固定的に連結され、両側の前記止め板の中には開口が相対であるスライドブロックチャンバが設置され、前記スライドブロックチャンバの中にはスライドブロックがスライドできるように設置され、前記スライドブロックの中には変速チャンバが設置され、前記長軸の前後両端がそれぞれ両側の前記変速チャンバの中に伸びており、且つ前記長軸の前後両端には大平歯車が固定的に連結され、前記大平歯車の下端には小平歯車が噛み合って設置され、前記小平歯車のうち対称中心に接近している一端にはメインプーリが固定的に連結され、前記メインプーリの左側には右プーリが回転できるように設置され、前記右プーリの左側には左プーリが回転できるように設置され、前記左プーリ、前記右プーリ及び前記メインプーリの間には同期ベルトが連結され、前後両側の前記右プーリの間には右ねじロッドが固定的に連結され、前記右ねじロッドが前記模型車にねじ山によって連結され、前後両側の前記左プーリの間には左ねじロッドが固定的に連結され、前記左ねじロッドが前記模型車にねじ山によって連結され、前記左ねじロッドと前記右ねじロッドにより前記模型車が傾斜することを回避でき、後側の前記スライドブロックの中にはねじ穴が左右に貫通して設置され、前記ねじ穴の中には前進ねじロッドがねじ山によって連結され、後側の前記スライドブロックチャンバの右側の内壁の中には前進モータが固定的に設置され、前記前進ねじロッドが前記前進モータに動力が伝達できるように連結されており、
前記車両装置は前記模型車に加速と車線変更との操作を完成させることができる。
【０００６】
さらなる技術プランには、前記障害装置は前後両側の前記止め板の間に回転できるように連結された左回転軸を含み、後側の前記止め板の中には変速モータが固定的に設置され、前記左回転軸が前記変速モータに動力が伝達できるように連結され、両側の前記止め板の間には左回転輪が前後対称的に、且つ回転できるように設置され、前記左回転輪が前記左回転軸に固定的に連結され、両側の前記止め板の間には右回転軸が回転できるように連結され、前記右回転軸が前記左回転軸の右側に位置しており、前記右回転軸には二つの右回転輪が前後対称的に固定的に連結され、両側の前記左回転輪と両側の前記右回転輪との間にはそれぞれ伝動ベルトが連結され、前記伝動ベルトの外側端面には一列の障害物がスライドする方向の路線に沿って排列されるように、固定的に連結されており、
前記障害装置は前記障害物の移動速度を変えられ、前記障害物と前記模型車との間の相対運動を模擬することにより前記模型車の移動速度を反映する。
【０００７】
さらなる技術プランには、前記制御装置は前記模型車の中に設置された上方に開口した収容チャンバを含み、前記収容チャンバの下側内壁の中には前ペダルチャンバが連通するように設置され、前記前ペダルチャンバの中には前ペダルがスライドできるように設置され、前記前ペダルの下端には上電極が固定的に連結され、前記前ペダルチャンバの下側内壁の中には下電極が固定的に設置され、前記前ペダルチャンバの左右両側の内壁の中には復帰溝が対称的に、且連通するように設置され、前記復帰溝の中には復帰ブロックがスライドできるように設置され、前記復帰ブロックが前記前ペダルに固定的に連結され、前記復帰ブロックの下端と前記復帰溝の下側内壁との間には復帰ばねが固定的に連結され、前記収容チャンバの下側内壁の中には後ペダルチャンバが連通するように設置され、前記後ペダルチャンバが前記前ペダルチャンバの後側に位置しており、前記後ペダルチャンバの中には後ペダルがスライドできるように設置され、前記後ペダルの下端には上導電ブロックが固定的に連結され、前記後ペダルチャンバの下側内壁の中には下導電ブロックが固定的に設置されており、
前記制御装置は前記模型車の前進及び停止を制御することができる。
【０００８】
さらなる技術方案には、前記上電極と前記下電極とが前記変速モータと電気的に接続されていると同時に前記前進モータに電気的に接続され、前記下導電ブロックと前記上導電ブロックとが前記変速モータに電気的に接続されており、
前記変速モータが始動されて前記上電極と前記下電極とに導電し、前記上導電ブロックが前記下導電ブロックと接触した時に前記変速モータを停止する。
【発明の効果】
【０００９】
本発明の有益な効果は：本発明は構成が簡単で、操作が便利で、障害物の移動速度を変えることにより運転の速度を反映することができ、また車の加速と車線変更とブレーキを模擬することもでき、その他、両側には止め板が設置されたことにより、操作は適当でない時に人が投げ出されることを回避できる。
【図面の簡単な説明】
【００１０】
【図１】図１は本発明の模擬運転おもちゃの内部構成模式図
【図２】図２は図１の中の「Ａ−Ａ」方向の構成概略図
【図３】図３は図１の中の「Ｂ−Ｂ」方向の構成概略図
【図４】図４は図１の中の「Ｃ」の拡大模式図
【図５】図５は図１の中の「Ｄ−Ｄ」方向の構成概略図
【図６】図６は図４の中の「Ｅ−Ｅ」方向の構成概略図
【発明を実施するための形態】
【００１１】
次に図１−６を合わせて本発明を詳しく説明する。意思の疎通に便利なため、後文に出る方位を以下の通りに規定する：後文に出る上下左右前後方向は図１本体の投影関係の上下左右前後方向と一致する。
【００１２】
図１−６を参照し、本発明の模擬運転おもちゃは、前後対称的に設置された止め板１１を含み、両側の前記止め板１１の間には模型車２６がスライドできるように設置され、前記模型車２６の中には制御装置１０２が設置され、両側の前記止め板１１と前記模型車２６との間には車両装置１００が連結され、前後両側の前記止め板１１の間には障害装置１０１が連結され、前記車両装置１００は前記模型車２６の中に設置された転向チャンバ３１を含み、前記転向チャンバ３１の中には大傘歯車３０が回転できるように設置され、前記大傘歯車３０の上端には連結軸２９が固定的に連結され、前記連結軸２９の上端が外部に伸びており、且つ前記連結軸２９の上端にはハンドル２８が固定的に連結され、前記大傘歯車３０の後端には小傘歯車１７が噛み合って設置され、前記小傘歯車１７の中には長軸１８が固定的に連結され、両側の前記止め板１１の中には開口が相対であるスライドブロックチャンバ１５が設置され、前記スライドブロックチャンバ１５の中にはスライドブロック２５がスライドできるように設置され、前記スライドブロック２５の中には変速チャンバ３５が設置され、前記長軸１８の前後両端がそれぞれ両側の前記変速チャンバ３５の中に伸びており、且つ前記長軸１８の前後両端には大平歯車３３が固定的に連結され、前記大平歯車３３の下端には小平歯車３４が噛み合って設置され、前記小平歯車３４のうち対称中心に接近している一端にはメインプーリ３６が固定的に連結され、前記メインプーリ３６の左側には右プーリ３９が回転できるように設置され、前記右プーリ３９の左側には左プーリ３８が回転できるように設置され、前記左プーリ３８、前記右プーリ３９及び前記メインプーリ３６の間には同期ベルト３７が連結され、前後両側の前記右プーリ３９の間には右ねじロッド２４が固定的に連結され、前記右ねじロッド２４が前記模型車２６にねじ山によって連結され、前後両側の前記左プーリ３８の間には左ねじロッド２３が固定的に連結され、前記左ねじロッド２３が前記模型車２６にねじ山によって連結され、前記左ねじロッド２３と前記右ねじロッド２４により前記模型車２６が傾斜することを回避でき、後側の前記スライドブロック２５の中にはねじ穴１６が左右に貫通して設置され、前記ねじ穴１６の中には前進ねじロッド１４がねじ山によって連結され、後側の前記スライドブロックチャンバ１５の右側の内壁の中には前進モータ３２が固定的に設置され、前記前進ねじロッド１４が前記前進モータ３２に動力が伝達できるように連結されており、
前記車両装置１００は前記模型車２６に加速と車線変更との操作を完成させることができる。
【００１３】
有益なように、前記障害装置１０１は前後両側の前記止め板１１の間に回転できるように連結された左回転軸２０を含み、後側の前記止め板１１の中には変速モータ４７が固定的に設置され、前記左回転軸２０が前記変速モータ４７に動力が伝達できるように連結され、両側の前記止め板１１の間には左回転輪１９が前後対称的に、且つ回転できるように設置され、前記左回転輪１９が前記左回転軸２０に固定的に連結され、両側の前記止め板１１の間には右回転軸１３が回転できるように連結され、前記右回転軸１３が前記左回転軸２０の右側に位置しており、前記右回転軸１３には二つの右回転輪１２が前後対称的に固定的に連結され、両側の前記左回転輪１９と両側の前記右回転輪１２との間にはそれぞれ伝動ベルト２１が連結され、前記伝動ベルト２１の外側端面には一列の障害物２２がスライドする方向の路線に沿って排列されるように、固定的に連結されており、
前記障害装置１０１は前記障害物２２の移動速度を変えられ、前記障害物２２と前記模型車２６との間の相対運動を模擬することにより前記模型車２６の移動速度を反映する。
【００１４】
有益なように、前記制御装置１０２は前記模型車２６の中に設置された上方に開口した収容チャンバ２７を含み、前記収容チャンバ２７の下側内壁の中には前ペダルチャンバ４５が連通するように設置され、前記前ペダルチャンバ４５の中には前ペダル４０がスライドできるように設置され、前記前ペダル４０の下端には上電極４６が固定的に連結され、前記前ペダルチャンバ４５の下側内壁の中には下電極４４が固定的に設置され、前記前ペダルチャンバ４５の左右両側の内壁の中には復帰溝４２が対称的に、且連通するように設置され、前記復帰溝４２の中には復帰ブロック４１がスライドできるように設置され、前記復帰ブロック４１が前記前ペダル４０に固定的に連結され、前記復帰ブロック４１の下端と前記復帰溝４２の下側内壁との間には復帰ばね４３が固定的に連結され、前記収容チャンバ２７の下側内壁の中には後ペダルチャンバ５０が連通するように設置され、前記後ペダルチャンバ５０が前記前ペダルチャンバ４５の後側に位置しており、前記後ペダルチャンバ５０の中には後ペダル４８がスライドできるように設置され、前記後ペダル４８の下端には上導電ブロック４９が固定的に連結され、前記後ペダルチャンバ５０の下側内壁の中には下導電ブロック５１が固定的に設置されており、
前記制御装置１０２は前記模型車２６の前進及び停止を制御することができる。
【００１５】
有益なように、前記上電極４６と前記下電極４４とが前記変速モータ４７と電気的に接続されていると同時に前記前進モータ３２に電気的に接続され、前記下導電ブロック５１と前記上導電ブロック４９とが前記変速モータ４７に電気的に接続されており、
前記変速モータ４７が始動されて前記上電極４６と前記下電極４４とに導電し、前記上導電ブロック４９が前記下導電ブロック５１と接触した時に前記変速モータ４７を停止する。
【００１６】
使用する時、人が収容チャンバ２７の中に座り、変速モータ４７を始動し、更に上電極４６と下電極４４とに導電し、更に左回転軸２０により伝動ベルト２１をスライド連動させ、更に障害物２２をスライド連動させ、この時に人がハンドル２８を回転させることができ、更に連結軸２９を通して大傘歯車３０を回転連動させ、更に小傘歯車１７を回転連動させ、更に長軸１８を回転連動させ、更に大平歯車３３と小平歯車３４との間の加速伝動によりメインプーリ３６を回転連動させ、更に同期ベルト３７により左プーリ３８と右プーリ３９とを回転連動させ、更に右ねじロッド２４と左ねじロッド２３とを回転連動させ、更に模型車２６を連動させて片側に向かってスライドさせ、模型車２６に車線変更と障害物２２を避けることとを行わせ、ハンドル２８を逆方向へ回転させる時、模型車２６を向こう側へスライドさせて車線変更させることができ、前ペダル４０を踏んだ時、上電極４６と下電極４４との間の距離が変えられ、更に上電極４６と下電極４４との間の電圧を増やし、更に前進モータ３２を始動し、前進モータ３２は上電極４６と下電極４４との間の電圧が増大する時だけに始動され、前進モータ３２が前進ねじロッド１４を駆動して回転させ、更に模型車２６を右へスライド連動させ、車両の模擬加速を実現し、前ペダル４０を放して後ペダル４８を踏み、この時に復帰ばね４３の弾力作用の下で、前ペダル４０が上昇復帰し、同時に後ペダル４８が下へスライドして上導電ブロック４９を下導電ブロック５１と接触させ、この時に変速モータ４７を停止し、この時に上電極４６と下電極４４への導電を切断し、この時に装置が停止し、模擬停車を実現する。
【００１７】
本発明の有益な効果は：本発明は構成が簡単で、操作が便利で、障害物の移動速度を変えることにより運転の速度を反映することができ、また車の加速と車線変更とブレーキを模擬することもでき、その他、両側には止め板が設置されたことにより、操作は適当でない時に人が投げ出されることを回避できる。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020177201.tif 000003
【図２】
2020177201.tif 000004
【図３】
2020177201.tif 000005
【図４】
2020177201.tif 000006
【図５】
2020177201.tif 000007
【図６】
2020177201.tif 000008